(57)【要約】【課題】設置の際に、音声出力部と音響調整部との配線の接続作業を省略することが可能な音響装置を提供する。【解決手段】浴室の天井面１ａに設置され、音源機器２から受信した音声情報に基づいて浴室の内部に向けて音声を出力する音響装置３であって、下面が浴室の内部に面するように配置される振動部１１を備える筐体１０と、筐体１０に設けられ、音源機器２から受信した音声情報に所定の処理を施す音響調整部５０と、筐体１０に設けられると共に音響調整部５０に接続され、音響調整部５０によって所定の処理が施された音声情報に基づいて振動部１１を振動させることで音声を出力するスピーカ２０と、を具備した。【選択図】図２
2015220499.tif 000002
【特許請求の範囲】
【請求項１】
部屋の壁面に設置され、音源機器から受信した音声情報に基づいて前記部屋の内部に向けて音声を出力する音響装置であって、
一部分が前記部屋の内部に面するように配置される振動部を備える本体部と、
前記本体部に設けられ、前記音源機器から受信した音声情報に所定の処理を施す音響調整部と、
前記本体部に設けられると共に前記音響調整部に接続され、前記音響調整部によって所定の処理が施された音声情報に基づいて前記振動部を振動させることで音声を出力する音声出力部と、
を具備する音響装置。
【請求項２】
前記部屋の内部の人の行動を検出する行動検出部をさらに具備し、
前記音響調整部は、
前記行動検出部によって検出された前記人の行動に応じて前記所定の処理の内容を調整する、
請求項１に記載の音響装置。
【請求項３】
前記行動検出部は、
前記部屋の内部の人の身体の動きを検出することで、当該人の行動を検出する、
請求項２に記載の音響装置。
【請求項４】
前記部屋の内部の音声を検出する音声検出部をさらに具備し、
前記音響調整部は、
前記音声検出部によって検出された前記部屋の内部の音声に応じて前記所定の処理の内容を調整する、
請求項１から請求項３までのいずれか一項に記載の音響装置。
【発明の詳細な説明】
【技術分野】
【０００１】
本発明は、部屋の内部に向けて音声を出力する音響装置の技術に関する。
【背景技術】
【０００２】
従来、部屋の内部に向けて音声を出力する音響装置の技術は公知となっている。例えば、特許文献１に記載の如くである。
【０００３】
特許文献１に記載の音響装置は、部屋の内部（室内）に面する振動部（点検口蓋）と、振動部の室外側に設けられた音声出力部（振動用アクチュエータ）と、を具備するものである。
【０００４】
このように構成された音響装置において、音声出力部は別室に配置されたアンプ等の音響調整部と配線を介して接続される。音響調整部は、ＣＤプレイヤー等の音源機器からの音声情報を調整した後、音声出力部へと伝達する。
【０００５】
音声出力部は、音響調整部から伝達される音声情報に基づいて振動部を振動させる。これによって、振動部から室内に向けて音声が出力され、室内の人は当該音声（例えば、音楽）を聴くことができる。
【０００６】
しかしながら、特許文献１に記載の技術では、音声出力部は、外部に配置されたアンプ等の音響調整部と配線を介して接続されるものである。従って、当該音響装置を部屋に設置する際には、当該音響装置を配置するだけでなく、配線を用いて音声出力部と外部の音響調整部とを接続する必要があり、当該接続作業が煩雑である点で不利であった。
【先行技術文献】
【特許文献】
【０００７】
【特許文献１】特開２００６−１３３６３９号公報
【発明の概要】
【発明が解決しようとする課題】
【０００８】
本発明は以上の如き状況に鑑みてなされたものであり、その解決しようとする課題は、設置の際に、音声出力部と音響調整部との配線の接続作業を省略することが可能な音響装置を提供することである。
【課題を解決するための手段】
【０００９】
本発明の解決しようとする課題は以上の如くであり、次にこの課題を解決するための手段を説明する。
【００１０】
即ち、請求項１においては、部屋の壁面に設置され、音源機器から受信した音声情報に基づいて前記部屋の内部に向けて音声を出力する音響装置であって、一部分が前記部屋の内部に面するように配置される振動部を備える本体部と、前記本体部に設けられ、前記音源機器から受信した音声情報に所定の処理を施す音響調整部と、前記本体部に設けられると共に前記音響調整部に接続され、前記音響調整部によって所定の処理が施された音声情報に基づいて前記振動部を振動させることで音声を出力する音声出力部と、を具備するものである。
【００１１】
請求項２においては、前記部屋の内部の人の行動を検出する行動検出部をさらに具備し、前記音響調整部は、前記行動検出部によって検出された前記人の行動に応じて前記所定の処理の内容を調整するものである。
【００１２】
請求項３においては、前記行動検出部は、前記部屋の内部の人の身体の動きを検出することで、当該人の行動を検出するものである。
【００１３】
請求項４においては、前記部屋の内部の音声を検出する音声検出部をさらに具備し、前記音響調整部は、前記音声検出部によって検出された前記部屋の内部の音声に応じて前記所定の処理の内容を調整するものである。
【発明の効果】
【００１４】
本発明の効果として、以下に示すような効果を奏する。
【００１５】
請求項１においては、設置の際に、音声出力部と音響調整部との配線の接続作業を省略することができる。
【００１６】
請求項２においては、部屋の内部の人は、他の機器を用いることなく音響調整部による所定の処理の内容を調整することができる。
【００１７】
請求項３においては、部屋の内部の人は、身体を動かすことで音響調整部による所定の処理の内容を調整することができる。
【００１８】
請求項４においては、音響装置が設置される部屋に応じて、音声情報に所定の処理を施すことができる。
【図面の簡単な説明】
【００１９】
【図１】音響装置が設置された浴室を示した側面断面概略図。
【図２】音響装置を示した側面断面図。
【図３】音響調整部の構成を示したブロック図。
【図４】音響装置によるインパルス応答測定用信号を用いた音場調整動作の処理を示したフローチャート。
【図５】音響装置によるピンクノイズを用いた音場調整動作の処理を示したフローチャート。
【図６】音響装置による再生動作の処理を示したフローチャート。
【図７】音響装置によるリモコン動作の処理を示したフローチャート。
【図８】音響装置の変形例（電池を有する音響装置）を示した側面断面図。
【発明を実施するための形態】
【００２０】
まず、図１及び図２を用いて、本発明の実施の一形態に係る音響装置３の概要について説明する。
【００２１】
本実施形態においては、音響装置３が設置される部屋として、浴室１を例示している。浴室１の天井面１ａには、当該天井面１ａを上下に貫通するように開口された点検口１ｂが形成される。音響装置３は、室外側（天井裏側）から点検口１ｂに嵌め込まれるようにして、浴室１の天井面１ａに設置される。音響装置３のうち、点検口１ｂに嵌め込まれた部分（振動部１１）は、天井面１ａの一部を形成することになる。
【００２２】
音響装置３は、音声を再生する音源機器２（例えば、スマートフォン等）と、無線通信によって接続される。音源機器２からの音声情報（音声に関する信号）は無線通信によって音響装置３へと伝達される。音響装置３は、音源機器２からの音声情報に基づいて振動部１１を振動させることによって、当該振動部１１から音声を出力する。浴室１内の人は、振動部１１から出力された音声（例えば、音楽）を聴くことができる。
【００２３】
なお、本実施形態において、音声にはあらゆる種類の音（音楽、人の声、テレビやラジオ等の放送音、ノイズ等）が含まれるものとする。
【００２４】
次に、図２及び図３を用いて、音響装置３の構成について説明する。
【００２５】
音響装置３は、主として筐体１０、スピーカ２０、マイク３０、カメラ４０、音響調整部５０及び電源配線６０を具備する。
【００２６】
図２に示す筐体１０は、音響装置３の主たる構造体を成すものである。筐体１０は、内部に空間を有する略直方体の箱状に形成される。筐体１０は、主として振動部１１、防音部１２及び防振部材１３を具備する。
【００２７】
振動部１１は、浴室１の内部に面するように配置される部分である。振動部１１は、筐体１０の底面部分を形成する。振動部１１は、主として振動板１１ａ及び閉塞板１１ｂを具備する。
【００２８】
振動板１１ａは、略矩形板状の部材である。振動板１１ａは、その板面を上下方向に向けて配置される。振動板１１ａは、平面視において点検口１ｂよりも一回り大きくなるように形成される。
【００２９】
閉塞板１１ｂは、略矩形板状の部材である。閉塞板１１ｂは、その板面を上下方向に向けた状態で、振動板１１ａの下面の略中央に固定される。閉塞板１１ｂは、平面視において点検口１ｂと略同一形状となるように形成される。
【００３０】
防音部１２は、振動部１１の上面を覆う部分である。防音部１２は、筐体１０の側面部分及び上面部分を形成する。防音部１２は、底面が開放された略直方体の箱状に形成される。防音部１２の下端は、平面視において振動板１１ａの外縁部と同一形状に形成される。防音部１２は、振動板１１ａの上面に適宜の方法で固定される。防音部１２の内側の壁面全域には、音を吸収する吸音材１２ａが貼り付けられる。
【００３１】
防振部材１３は、振動部１１の振動が天井面１ａに伝わるのを防止するためのものである。防振部材１３は、振動の伝達を抑制することが可能な（防振性を有する）素材により形成される。また本実施形態においては、防振部材１３は、水分（湿気）の流通を抑制することも可能な（防湿性を有する）素材により形成される。防振部材１３は、振動板１１ａの下面の外縁部（閉塞板１１ｂの外側）に貼り付けられる。
【００３２】
スピーカ２０は、振動部１１を振動させることで音声を出力するものである。スピーカ２０は筐体１０の内部に配置される。スピーカ２０は振動部１１（振動板１１ａ）の上面に取り付けられる。スピーカ２０は、受信した音声情報に基づいて振動部１１を振動させ、当該振動部１１から音声を出力する（音を発生させる）ことができる。
【００３３】
マイク３０は、浴室１の内部の音声を検出するものである。マイク３０は、筐体１０の下面（振動部１１の閉塞板１１ｂ）に設けられる。
【００３４】
カメラ４０は、浴室１の内部の映像を取得するものである。カメラ４０は、筐体１０の下面（振動部１１の閉塞板１１ｂ）に設けられる。
【００３５】
音響調整部５０は、音源機器２から受信した音声情報に所定の処理（各種の信号処理）を施すものである。音響調整部５０は、筐体１０の内部に配置される。音響調整部５０は、振動部１１の上面に載置される。音響調整部５０は、配線を介してスピーカ２０、マイク３０及びカメラ４０にそれぞれ接続される。音響調整部５０は、無線通信を介して音源機器２に接続される。
なお、音響調整部５０の詳細な構成については後述する。
【００３６】
電源配線６０は、音響装置３へと電力を供給するためのものである。電源配線６０の一端は、音響調整部５０に接続される。電源配線６０は、筐体１０の外部へと延びるように配置される。電源配線６０の他端には接続端子６１が設けられる。接続端子６１を筐体１０の外部の電源に接続することで、当該電源からの電力が電源配線６０を介して音響調整部５０に供給される。音響調整部５０に供給された電力は、さらにスピーカ２０、マイク３０及びカメラ４０へと供給される。
【００３７】
次に、図３を用いて、音響調整部５０の詳細な構成について説明する。
【００３８】
音響調整部５０は、主として通信部５１、ＤＳＰ部５２、Ｄ／Ａ変換部５３、アンプ部５４、Ａ／Ｄ変換部５５及び制御部５６を具備する。
【００３９】
通信部５１は、無線通信機能（たとえば、Ｂｌｕｅｔｏｏｔｈ（登録商標）通信機能）を有する音源機器２からの音声情報を受信するものである。通信部５１は、受信した音声情報をＤＳＰ部５２へと伝達する。
【００４０】
ＤＳＰ（Ｄｉｇｉｔａｌ  Ｓｉｇｎａｌ  Ｐｒｏｃｅｓｓｉｎｇ）部５２は、通信部５１から伝達される音声情報にデジタル処理を施す（音声情報を加工する）ものである。ＤＳＰ部５２は、音声情報にデジタル処理を施すことで、当該音声情報に基づく音声の音質の調整や、各種の音響効果の付与を行うことができる。ＤＳＰ部５２は、デジタル処理を施した音声情報をＤ／Ａ変換部５３へと伝達する。
【００４１】
Ｄ／Ａ変換部５３は、ＤＳＰ部５２から伝達される音声情報（デジタル信号）をアナログ信号に変換する（変換処理を施す）ものである。Ｄ／Ａ変換部５３は、アナログ信号に変換した音声情報をアンプ部５４へと伝達する。
【００４２】
アンプ部５４は、Ｄ／Ａ変換部５３から伝達される音声情報に増幅処理を施すものである。アンプ部５４は、増幅処理を施した音声情報をスピーカ２０へと伝達する。
【００４３】
Ａ／Ｄ変換部５５は、マイク３０から伝達される浴室１の内部の音声に関する音声情報（アナログ信号）をデジタル信号に変換する（変換処理を施す）ものである。Ａ／Ｄ変換部５５は、デジタル信号に変換した音声情報を制御部５６へと伝達する。
【００４４】
制御部５６は、種々の情報に基づいて演算を行うと共に、ＤＳＰ部５２、Ｄ／Ａ変換部５３及びアンプ部５４の動作を制御するものである。制御部５６は、主としてＣＰＵ等の演算処理部、ＲＡＭやＲＯＭ等の記憶部等により構成される。制御部５６には、ＤＳＰ部５２等の動作を制御するための種々の情報やプログラム等が予め記憶される。
【００４５】
制御部５６はＡ／Ｄ変換部５５に接続され、浴室１の内部の音声に関する音声情報を受信することができる。
制御部５６はカメラ４０に接続され、浴室１の内部の映像に関する情報を受信することができる。
制御部５６は、ＤＳＰ部５２、Ｄ／Ａ変換部５３及びアンプ部５４にそれぞれ接続され、当該ＤＳＰ部５２、Ｄ／Ａ変換部５３及びアンプ部５４が行う処理の内容を調整することができる。
【００４６】
次に、図１及び図２を用いて、浴室１に音響装置３を設置する方法について説明する。
【００４７】
音響装置３を浴室１に設置する場合、当該音響装置３（閉塞板１１ｂ）は、室外側（天井面１ａの上方）から点検口１ｂに嵌め込まれる。この際、閉塞板１１ｂによって点検口１ｂが閉塞される。このようにして、振動部１１（閉塞板１１ｂ）の一部分（下面）は浴室１の内部に面するように配置される。当該振動部１１（閉塞板１１ｂ）は、天井面１ａの一部を形成することになる。
【００４８】
音響装置３は、閉塞板１１ｂが点検口１ｂに嵌め込まれた状態で、天井面１ａに載置される。この際、音響装置３（より詳細には、振動板１１ａ）は防振部材１３を介して天井面１ａに載置される。
【００４９】
また、音響装置３の電源配線６０の接続端子６１は、適宜外部の電源に接続される。当該電源からの電力によって、音響装置３を作動させることができる。
【００５０】
このように、閉塞板１１ｂが点検口１ｂに嵌め込まれるように音響装置３を天井面１ａに載置し、電源配線６０の接続端子６１を外部の電源に接続するだけで、当該音響装置３を容易に設置することができる。
【００５１】
次に、図２及び図３を用いて、上述の如く構成された音響装置３の動作の概要について説明する。
【００５２】
音響装置３（より詳細には、通信部５１）は、音源機器２と無線通信によって接続される。音源機器２から送信された音声情報は、音響調整部５０において各種の処理（デジタル処理、変換処理、増幅処理等の信号処理）が施され、スピーカ２０へと伝達される。スピーカ２０は振動部１１を振動させることで、音声情報に基づく音声を浴室１の内部へと出力することができる。
【００５３】
この際、音響装置３（より詳細には、振動板１１ａ）と天井面１ａとの間には、防振部材１３が介在している。これによって、振動部１１の振動が天井面１ａへと伝わるのを防止することができ、ひいては天井面１ａや天井裏（天井面１ａの上方）の空間を介して他の部屋等に音声が漏れるのを防止することができる。また、防振部材１３は防湿性も有しているため、浴室１の湿気が点検口１ｂを介して天井裏に漏れるのを防止することもできる。
【００５４】
また、振動部１１は、防音部１２によって上方から覆われている。このため、振動部１１の上面から出力される音声が、天井裏の空間に伝達されるのを防止（防音）することができる。これによって、天井裏の空間を介して他の部屋等に音声が漏れるのを防止することができる。
【００５５】
また、音響装置３は、振動部１１から浴室１へと出力された音声をマイク３０で検出することで、当該浴室１の性状に合わせてデジタル処理の内容を調整することができる。
【００５６】
また、音響装置３は、カメラ４０で撮影された浴室１の内部の人の行動に基づいて、出力する音声を調整することができる。
【００５７】
以下では、図４から図７までを用いて、音響装置３の各動作について、より詳細に説明する。
【００５８】
まず、図４を用いて、音響装置３による音場調整動作について説明する。ここで、音場調整動作とは、音響装置３からの音声が出力される空間（音場）、すなわち本実施形態における浴室１に合わせて、ＤＳＰ部５２によるデジタル処理の内容を決定するものである。
【００５９】
ステップＳ１０１において、制御部５６は、インパルス応答を測定するための音声を振動部１１から浴室１の内部に出力させる。
具体的には、制御部５６は、インパルス応答を測定するためのインパルス応答測定用信号（ＴＳＰ、Ｍ系列信号）を、Ｄ／Ａ変換部５３及びアンプ部５４を介してスピーカ２０へと伝達する。スピーカ２０は、振動部１１を振動させることで、当該信号（音声情報）に応じた音声を出力する。
【００６０】
ステップＳ１０２において、制御部５６は、マイク３０を用いて、浴室１の内部に出力された音声を検出する。
具体的には、制御部５６は、マイク３０によって検出された音声情報を、Ａ／Ｄ変換部５５を介して受信する。
【００６１】
ステップＳ１０３において、制御部５６は、ステップＳ１０２において受信した音声情報を分析し、音場（浴室１）及びスピーカ２０の性状を把握する。
【００６２】
ステップＳ１０４において、制御部５６は、浴室１の内部に出力された音声が予め設定された所望の音（例えば、全周波数帯域でフラットにする（特定の周波数帯域を強調しない）等）になるように、ＤＳＰ部５２によるデジタル処理の内容（例えば、低音を弱く、かつ高音を強くする等）を調整する。
【００６３】
このようにして決定されたＤＳＰ部５２によるデジタル処理の内容は、制御部５６に記憶される。制御部５６は、当該デジタル処理の内容に基づいて、ＤＳＰ部５２の動作を制御する。このように制御部５６は、浴室１及びスピーカ２０の性状に応じて、ＤＳＰ部５２によるデジタル処理の内容を自動的に調整することができる。
【００６４】
なお、図４には、インパルス応答測定用信号（ＴＳＰ、Ｍ系列信号）を用いた音場調整動作を例示したが、本発明はこれに限るものではなく、ピンクノイズを用いて音場調整動作を行うことも可能である。以下、図５を用いて、ピンクノイズを用いた音場調整動作について説明する。
【００６５】
ステップＳ２０１において、制御部５６は、ピンクノイズを振動部１１から浴室１の内部に出力させる。
具体的には、制御部５６は、ピンクノイズの音声情報を、Ｄ／Ａ変換部５３及びアンプ部５４を介してスピーカ２０へと伝達する。スピーカ２０は、振動部１１を振動させることで、当該音声情報に応じた音声（ピンクノイズ）を出力する。
【００６６】
ステップＳ２０２において、制御部５６は、マイク３０を用いて、浴室１の内部に出力された音声を検出する。
具体的には、制御部５６は、マイク３０によって検出された音声情報を、Ａ／Ｄ変換部５５を介して受信する。
【００６７】
ステップＳ２０３において、制御部５６は、ステップＳ２０２において受信した音声情報を分析し、音場（浴室１）及びスピーカ２０の性状を把握する。
【００６８】
ステップＳ２０４において、制御部５６は、ステップＳ２０２において全周波数帯域でフラットな音（すなわち、ピンクノイズ）が検出されるように、ＤＳＰ部５２によるデジタル処理の内容を決定する。
【００６９】
このようにして決定されたＤＳＰ部５２によるデジタル処理の内容は、制御部５６に記憶される。制御部５６は、当該デジタル処理の内容に基づいて、ＤＳＰ部５２の動作を制御する。
【００７０】
次に、図６を用いて、音響装置３による再生動作について説明する。ここで再生動作とは、音源機器２が再生した音声（例えば、音楽）を浴室１の内部へと出力するものである。
なお、以下のステップＳ３０１及びステップＳ３０２の処理には、厳密には音響装置３による動作だけではなく音源機器２による動作も含まれるが、説明の便宜上図６のフローチャートに記載している。
【００７１】
ステップＳ３０１において、音源機器２の電源が入れられる等して、当該音源機器２と通信部５１とが無線通信を介して接続される。
【００７２】
ステップＳ３０２において、音源機器２が操作され、当該音源機器２で音声（例えば、音楽）が再生される。
【００７３】
ステップＳ３０３において、通信部５１は、音源機器２が再生している音声についての音声情報を受信する。また、ＤＳＰ部５２は、通信部５１から伝達される音声情報にデジタル処理を施す。
【００７４】
ステップＳ３０４において、Ｄ／Ａ変換部５３は、ＤＳＰ部５２によってデジタル処理が施された音声情報をアナログ信号に変換する。また、アンプ部５４は、Ｄ／Ａ変換部５３から伝達される音声情報に増幅処理を施し、当該音声情報をスピーカ２０へと伝達する。
【００７５】
ステップＳ３０５において、スピーカ２０は振動部１１を振動させることで音声を出力する。これによって、音源機器２で再生された音声が、音響装置３から浴室１の内部へと出力され、浴室１の内部の人は当該音声を聴くことができる。
【００７６】
次に、図７を用いて、音響装置３によるリモコン動作について説明する。ここでリモコン動作とは、浴室１の内部の人の行動に応じて当該音響装置３から出力される音声（本実施形態においては、音声の音量）を調整するものである。
なお、以下のステップＳ４０１の処理は、厳密には音響装置３による動作ではなく浴室１の内部の人の行動であるが、説明の便宜上図７のフローチャートに記載している。
【００７７】
ステップＳ４０１において、浴室１の内部の人は、目的（音響装置３から出力される音声の音量を１段階上げる等）に応じた行動を実施する。
人の行動（本実施形態においては、身体の動き）と音響装置３から出力される音声の調整項目との関係（例えば、手を１回振ると音量を１段階上げる、手を２回振ると音量を１段階下げる等）は予め定められており、音響装置３の制御部５６にデータベースとして記憶されている。浴室１の内部の人は、制御部５６に記憶されている前記データベースの中から、所望の音声の調整項目に対応する行動を実施する。
【００７８】
ステップＳ４０２において、制御部５６は、カメラ４０で撮影された浴室１の内部の人の映像を受信する。
すなわち、カメラ４０は浴室１の内部の映像を撮影することで、当該浴室１の内部の人の行動（特に、身体の動き）を検出することができる。当該カメラ４０によって撮影された映像は、制御部５６へと送信される。
【００７９】
ステップＳ４０３において、制御部５６は、カメラ４０で撮影された浴室１の内部の人の行動を前記データベースと照合する。
【００８０】
ステップＳ４０４において、制御部５６は、カメラ４０で撮影された浴室１の内部の人の行動が前記データベースとして記憶されている行動と合致するか否かを判定する。
制御部５６は、浴室１の内部の人の行動が前記データベースとして記憶されている行動と合致すると判定した場合、ステップＳ４０５に移行する。
制御部５６は、浴室１の内部の人の行動が前記データベースとして記憶されている行動と合致しないと判定した場合、ステップＳ４０２に移行する。
【００８１】
ステップＳ４０５において、制御部５６は、ステップＳ４０４において合致した行動に対応する調整項目に従って、アンプ部５４の増幅処理の内容を調整する。
例えば、ステップＳ４０４において合致した行動に対応する調整項目が、音響装置３から出力される音声の音量を１段階上げるというものである場合、制御部５６は当該調整項目に従うようにアンプ部５４へと制御信号を送信する。すなわち、制御部５６は、アンプ部５４の増幅処理の内容を変更し、音響装置３から出力される音声の音量を１段階上げる。
【００８２】
ステップＳ４０６において、アンプ部５４は、ステップＳ４０５における制御部５６からの制御信号に従って増幅処理を行う。
例えば、アンプ部５４は、ステップＳ４０５において制御部５６から音量を１段階上げる旨の制御信号を受信した場合、当該内容に従って音声信号に増幅処理を施す。これによって、スピーカ２０によって出力される音声の音量を１段階上げることができる。
【００８３】
このように、制御部５６は、浴室１の内部の人の行動が前記データベースとして記憶されている行動と合致するか否かを常時判定し、合致した場合には当該行動に対応する調整項目に従ってアンプ部５４の増幅処理の内容を調整する。これによって、浴室１の内部の人はリモコン機器（リモートコントローラ）を用いることなく、音響装置３から出力される音声の調整を行うことができる。
【００８４】
以上の如く、本実施形態に係る音響装置３は、
浴室１（部屋）の天井面１ａ（壁面）に設置され、音源機器２から受信した音声情報に基づいて浴室１の内部に向けて音声を出力する音響装置３であって、
下面（一部分）が浴室１の内部に面するように配置される振動部１１を備える筐体１０（本体部）と、
筐体１０に設けられ、音源機器２から受信した音声情報に所定の処理を施す音響調整部５０と、
筐体１０に設けられると共に音響調整部５０に接続され、音響調整部５０によって所定の処理が施された音声情報に基づいて振動部１１を振動させることで音声を出力するスピーカ２０（音声出力部）と、
を具備するものである。
このように構成することにより、設置の際に、スピーカ２０と音響調整部５０との配線の接続作業を省略することができる。
すなわち、スピーカ２０と音響調整部５０は予め接続された状態で筐体１０に設けられているため、当該筐体１０を任意の場所に設置する（厳密には、これに加えて電源配線６０の接続端子６１を電源に接続する）だけで、音響装置３の設置作業を完了することができる。
【００８５】
また、音響装置３は、
浴室１の内部の人の行動を検出するカメラ４０（行動検出部）をさらに具備し、
音響調整部５０は、
カメラ４０によって検出された前記人の行動に応じてアンプ部５４による増幅処理（所定の処理）の内容を調整するものである。
このように構成することにより、浴室１の内部の人は、他の機器を用いることなく音響調整部５０による所定の処理の内容を調整することができる。
【００８６】
また、カメラ４０は、
浴室１の内部の人の身体の動きを検出することで、当該人の行動を検出するものである。
このように構成することにより、浴室１の内部の人は、身体を動かすことで音響調整部５０による所定の処理の内容を調整することができる。
【００８７】
また、音響装置３は、
浴室１の内部の音声を検出するマイク３０（音声検出部）をさらに具備し、
音響調整部５０は、
マイク３０によって検出された浴室１の内部の音声に応じて前記所定の処理の内容を調整するものである。
このように構成することにより、音響装置３が設置される部屋に応じて、音声情報に所定の処理を施すことができる。
すなわち、音響装置３が設置される部屋に応じて所定の処理の内容を調整する作業を自動的に行うことができ、当該音響装置３の設置作業を簡略化することができる。
【００８８】
なお、浴室１は、本発明に係る部屋の実施の一形態である。
また、天井面１ａは、本発明に係る壁面の実施の一形態である。
また、筐体１０は、本発明に係る本体部の実施の一形態である。
また、スピーカ２０は、本発明に係る音声出力部の実施の一形態である。
また、マイク３０は、本発明に係る音声検出部の実施の一形態である。
また、カメラ４０は、本発明に係る行動検出部の実施の一形態である。
また、ＤＳＰ部５２によるデジタル処理、Ｄ／Ａ変換部５３による変換処理及びアンプ部５４による増幅処理は、本発明に係る所定の処理の実施の一形態である。
【００８９】
なお、本実施形態においては、音響装置３は浴室１に設置されるものとしたが、本発明はこれに限るものではない。すなわち、音響装置３は浴室１に限らず、その他所望の部屋に設置することができる。
【００９０】
また、音源機器２は限定するものではなく、音声情報を発信することができる機器であれば、例えばＣＤプレイヤー等の音楽再生機器、パソコン、テレビ、ラジオ等であっても良い。
【００９１】
また、本実施形態においては、音響装置３は部屋（浴室１）の天井面１ａに設置されるものとしたが、本発明はこれに限るものではない。すなわち、部屋の壁面であれば、天井面１ａに限らずその他の面（例えば、側壁面）に設置することができる。
【００９２】
また、本実施形態においては、本体部の実施の一形態として筐体１０を例示したが、本発明はこれに限るものではない。すなわち、本体部は振動部１１を備えるものであれば良く、その構成を限定するものではない。例えば、天井裏の空間に向かって出力される音声を防音する必要が無い場合には、本体部は防音部１２を備えないもの（主に振動部１１のみで構成されるもの）であっても良い。
【００９３】
また、本実施形態においては、筐体１０は略直方体状であるものとしたが、本発明はこれに限るものではない。すなわち、筐体１０の形状はその他の形状（例えば、半球状等）であっても良い。
【００９４】
また、本実施形態においては、振動部１１は筐体１０の底面部分全体を形成するものとしたが、本発明はこれに限るものではない。例えば、筐体１０の底面の一部分のみ（例えば、筐体１０の底面の中央部分のみ）を振動部１１とすることも可能である。
【００９５】
また、本実施形態においては、カメラ４０を用いて検出される人の行動として、身体の動きを例示したが、本発明はこれに限るものではない。すなわち、人の行動には、身体の動きだけでなく、表情を変化させることや言葉を発すること等も含まれる。
【００９６】
また、本実施形態においては、人の行動を検出する行動検出部の実施の一形態としてカメラ４０を例示したが、本発明はこれに限るものではない。すなわち、行動検出部は、部屋の内部の人の行動を認識することができるものであれば良い。
例えば、本実施形態に係るマイク３０を行動検出部として用いることも可能である。この場合、制御部５６には予め人が発する言葉と音響装置３の調整項目との関係がデータベースとして記憶される。制御部５６は、部屋の内部の人が発する言葉に対応する調整項目に従って、アンプ部５４の増幅処理の内容を調整する。
【００９７】
また、本実施形態においては、カメラ４０を用いて人の身体の動きを検出するものとしたが、本発明はこれに限るものではない。すなわち、本発明に係る行動検出部は部屋の内部の人の身体の動きを認識することができるものであれば良く、例えば各種のセンサを用いることも可能である。
【００９８】
また、本実施形態においては、制御部５６は、部屋の内部の人の行動に応じてアンプ部５４の増幅処理の内容（音量）を調整するものとして説明したが、本発明はこれに限るものではない。例えば、制御部５６は、人の行動に応じてＤＳＰ部５２のデジタル処理の内容を調整する構成とすることも可能である。また、制御部５６は、音源機器２との無線通信を利用して、当該音源機器２を操作する構成とすることも可能である。
【００９９】
また、本実施形態においては、音響調整部５０は筐体１０の内部に配置されるものとしたが、本発明はこれに限るものではない。すなわち、音響調整部５０自体は音を発することがなく、防音部１２によって防音する必要がないため、筐体１０の外部に配置（例えば、筐体１０の上面に固定）されていても良い。
【０１００】
また、本実施形態においては、制御部５６は浴室１の内部の人の行動がデータベースとして記憶されている行動と合致するか否かを常時判定するものとしたが（図７のステップＳ４０４参照）、本発明はこれに限るものではない。例えば、制御部５６は、浴室１の内部の人が特定の行動（例えば、両手を振る、所定の言葉を発する等）を実施した場合にのみ、ステップＳ４０４の処理（人の行動がデータベースに記憶されている行動と合致するか否かの判定）を行う構成とすることも可能である。これによって、制御部５６が無駄な処理を行うのを防止することができる。
【０１０１】
また、本実施形態においては、音響装置３は、無線通信によって音源機器２と接続されるものとしたが、本発明はこれに限るものではない。すなわち、音響装置３は配線によって音源機器２と接続される構成とすることも可能である。
【０１０２】
また、本実施形態においては、外部の電源からの電力が、電源配線６０を介して音響装置３へと供給されるものとしたが、本発明はこれに限るものではない。すなわち、音響装置３の内部（例えば、音響調整部５０の内部）に充電可能な電池を設ける構成とすることも可能である。これによって、音響装置３を部屋に設置する際に、電源配線６０の接続端子６１を外部の電源に接続する作業を行う必要が無くなる。なおこの場合、図８に示すように、筐体１０の側面に前記電池を充電するための充電用端子７０を設けることが望ましい。これによって、前記電池に蓄えられた電力が無くなった場合には、当該充電用端子７０から前記電池へと電力を供給することで、当該電池を充電することができる。
【符号の説明】
【０１０３】
１    浴室（部屋）
２    音源機器
３    音響装置
１０  筐体（本体部）
１１  振動部
１２  防音部
２０  スピーカ（音声出力部）
３０  マイク（音声検出部）
４０  カメラ（行動検出部）
５０  音響調整部
【図１】
2015220499.tif 000003
【図２】
2015220499.tif 000004
【図３】
2015220499.tif 000005
【図４】
2015220499.tif 000006
【図５】
2015220499.tif 000007
【図６】
2015220499.tif 000008
【図７】
2015220499.tif 000009
【図８】
2015220499.tif 000010